(57)【要約】      （修正有）【課題】手間やコストを削減して切削液の浸入を防止することができる、数値制御装置における電子機器の操作盤の保護構造を提供する。【解決手段】操作盤１２の前面に取り付けられるフロントカバー２０の内側に、表示器１３または電子部品の少なくとも一方の上部あるいは全周部を覆うリブ４０を設ける。これにより、保護フィルム等の別の部材を用いることがなく、表示器や電子部品を組み立てるだけで表示器または電子部品に切削液等がかかることをリブにより防止することができ、安価で信頼性を向上させることができる。【選択図】図２
0003185267.tif 000002
【実用新案登録請求の範囲】
【請求項１】
電子機器の操作盤の前面に取り付けられるフロントカバーと、該フロントカバーの後面側に設けられた表示器または電子部品の少なくとも一方とで構成される電子機器の操作盤の保護構造において、
前記フロントカバーの内側に、前記表示器または前記電子部品の少なくとも一方の上部あるいは全周部を覆うリブを設けたことを特徴とする電子機器の操作盤の保護構造。
【請求項２】
前記リブは前記制御基板取付部材と接触させた構造であることを特徴とする請求項１に記載の電子機器の操作盤の保護構造。
【請求項３】
前記リブは、上部から左右に傾斜する斜め勾配や、前後に傾斜するねじれ勾配を有することを特徴とする請求項１又は２に記載の電子機器の操作盤の保護構造。
【請求項４】
前記リブは、突条又は溝形状の少なくとも一方を有することを特徴とする請求項１〜３の何れか１つに記載の電子機器の操作盤の保護構造。
【考案の詳細な説明】
【技術分野】
【０００１】
本考案は、数値制御装置などにおける表示器ユニット等の電子機器の操作盤の保護構造に関する。
【背景技術】
【０００２】
工作機械の数値制御装置に用いられる表示器ユニットは、工作機械の操作盤筐体などに取り付けられている。また、数値制御装置を制御する電子部品は、表示器ユニット等の内部に設けられている。図１は、工作機械の操作盤筐体の外観を示した図であり、１０は操作盤筐体、１２は表示器ユニットであり、表示器ユニット１２に操作キーを表示して操作を受け付けるようにすることもできる。また、１４は操作キーであり、２０は表示器１３を覆い、操作キーを取り付けることができるフロントカバーである。図１０は、操作盤筐体の断面図であり、図１０（ａ）は全体図、図１０（ｂ）は図１０（ａ）のＸ部分を拡大した拡大図である。フロントカバー２０の背面には電子部品（図示せず）が搭載される制御回路基板３０が設けられている。
【０００３】
ここで、工作機械は一般的に切削液を使用して用いられるため、そのような環境下においては、操作盤の表示器ユニットや内部の電子部品に直接あるいは間接的に切削液がかかることがある。
そのため、図１０に示されているように、表示器ユニットと表示器ユニットを取り付ける操作盤筐体との間にパッキン２５を設けて切削液等５０から保護しているが、切削液等５０が多量にかかる環境下や、経年的に使用していてパッキン２５が劣化してきた場合などには、図１０に矢印で示されているような切削液浸入路６０で切削液等５０が内部に浸入してしまうことがある。また、操作盤筐体の密閉性の劣化等により、操作盤筐体内部に切削液のミストの浸入や、温度変化による操作盤筐体内の結露などにより、操作盤筐体内部に水滴が発生することもある。
【０００４】
特許文献１には、数値制御装置における表示器の取り付け構造に関する技術が開示されているが、切削液の内部への浸入防止に関する事項については特段開示されておらず、切削液や水滴が内部に浸入した場合には、表示器に切削液や水滴が直接かかることとなり故障の原因となることがある。
【０００５】
図１０は、これらの課題を解決するための技術である。図１０（ａ）は、図１におけるＡ−Ａ断面図であり、図１０（ｂ）は、図１０（ａ）のＸ部分を拡大した拡大図である。図１０に開示されている技術においては、表示器１３へ切削液等５０がかかることを防止するようにしており、表示器１３の前部にフロントカバー２０が設けられており、表示器１３の背後には、制御基板取付部材３２に取付けられた制御回路基板３０が設けられている。そして、表示器１３に切削液がかからないように、表示器１３の上部から制御基板取付部材３２にかけて保護フィルム１００が設けられ、表示器１３へ切削液がかかることを防止して、表示器１３の故障を未然に防いでいる。
【先行技術文献】
【特許文献】
【０００６】
【特許文献１】特開平９−２７４４４７号公報
【考案の概要】
【考案が解決しようとする課題】
【０００７】
従来技術として図１０に示されている技術は、保護フィルム１００を設けることによって表示器１３へ切削液等５０がかかることを防止しているが、保護フィルム１００を別途用意する必要があり、さらに表示器ユニット１２を組み立てる際に保護フィルム１００を貼り付けるという前作業も必要となるため、手間やコストがかかってしまうおそれがある。
【０００８】
そこで本考案は、数値制御装置などにおける表示器ユニット等の電子機器の操作盤において、手間やコストを削減して切削液の侵入を防止することができる、数値制御装置における電子機器の操作盤の保護構造を提供することを目的とする。
【課題を解決するための手段】
【０００９】
本願の請求項１に係る考案では、電子機器の操作盤の前面に取り付けられるフロントカバーと、該フロントカバーの後面側に設けられた表示器または電子部品の少なくとも一方とで構成される電子機器の操作盤の保護構造において、前記フロントカバーの内側に、前記表示器または前記電子部品の少なくとも一方の上部あるいは全周部を覆うリブを設けたことを特徴とする電子機器の操作盤の保護構造が提供される。
【００１０】
すなわち、請求項１に係る考案では、フロントカバーの内側に、表示器または電子部品の少なくとも一方の上部あるいは全周部を覆うリブを設けることにより、切削液等が直接かからないように表示器や電子部品を組み立てる際に、切削液等がかかることを防止する保護フィルムなどを別途用意する必要がなく、その保護フィルム等を貼り付ける作業もなく、表示器や電子部品を組み立てるだけで、表示器または電子部品に切削液等がかかることを防止することができるため、作業ミスや組み立て検査もなく、安価で信頼性を向上させることができる。
【００１１】
本願の請求項２に係る考案では、前記リブは前記制御基板取付部材と接触させた構造であることを特徴とする請求項１に記載の電子機器の操作盤の保護構造が提供される。
すなわち、請求項２に係る考案では、リブが制御基板取付部材と接触された構造とされているため、より確実に表示器や電子部品へ切削液等がかかることを防止することが可能となる。
【００１２】
本願の請求項３に係る考案では、前記リブは、上部から左右に傾斜する斜め勾配や、前後に傾斜するねじれ勾配を有することを特徴とする請求項１又は２に記載の電子機器の操作盤の保護構造が提供される。
すなわち、請求項３に係る考案では、リブが斜め勾配やねじれ勾配を有しているため、リブの上に落下した切削液等が定められた方向に流れ、筐体内の定められた箇所に集められることとなる。そのため、確実性を保持しつつ、保守などのメンテナンスの際に、集められた切削液等を回収除去することが容易となり、保守などのメンテナンスにおける手間を削減することが可能となる。
【００１３】
本願の請求項４に係る考案では、前記リブは、突条又は溝形状の少なくとも一方を有することを特徴とする請求項１〜３の何れか１つに記載の電子機器の操作盤の保護構造が提供される。
すなわち、請求項４に係る考案では、リブに突条又は溝形状の少なくとも一方を有することにより、リブの上に落下した切削液等が突条に沿った方向に流れたり、溝内を流れたりすることとなる。そのため、確実性を保持しつつ、保守などのメンテナンスの際に、突条又は溝に沿って定められた方向に流れた切削液等を回収除去することが容易となり、保守などのメンテナンスにおける手間を削減することが可能となる。
【考案の効果】
【００１４】
本考案により、数値制御装置などにおける表示器ユニット等の電子機器の操作盤において、手間やコストを削減して切削液等の浸入を防止することができる、数値制御装置における電子機器の操作盤の保護構造が提供できる。
【図面の簡単な説明】
【００１５】
【図１】工作機械の操作盤筐体の外観を示した図である。
【図２】本考案の実施形態における電子機器の操作盤の保護構造を示した図である。
【図３】本考案の別の実施形態における電子機器の操作盤の保護構造を示した図である。
【図４】本考案のさらに別の実施形態における電子機器の操作盤の保護構造を示した図である。
【図５】本考案のさらに別の実施形態における電子機器の操作盤の保護構造を示した図である。
【図６】本考案のさらに別の実施形態における電子機器の操作盤の保護構造を示した図である。
【図７】本考案のさらに別の実施形態における電子機器の操作盤の保護構造を示した図である。
【図８】本考案のさらに別の実施形態における電子機器の操作盤の保護構造を示した図である。
【図９】本考案のさらに別の実施形態における電子機器の操作盤の保護構造において、電子部品を保護する保護構造を示した図である。
【図１０】従来技術における操作盤筐体の断面図である。
【図１１】従来技術における操作盤筐体の断面図である。
【考案を実施するための形態】
【００１６】
以下、本考案の実施の形態について図を参照して説明する。
本考案の実施の形態においても、数値制御装置の操作盤筐体１０の外観は、従来技術として示した図１と同様である。図２は、本考案の数値制御装置に用いられる電子機器の操作盤の保護構造の一実施形態を示した図であり、図２（ａ）は断面図、図２（ｂ）は図２（ａ）のＸ部分を拡大した拡大図である。図１０に示された従来技術との相違点は、保護フィルム１００に代わりに、表示器１３の周囲に、フロントカバー２０から一体的なリブ４０を設けるようにした点である。これにより、切削液が多量にかかり続ける環境下や、隙間を封鎖しているパッキン２５が経年使用により劣化した場合で内部に切削液等５０が浸入した場合であっても、切削液等５０はリブ４０によって止められ、表示器１３にかかることが防止できる。
【００１７】
図３は、本考案の数値制御装置に用いられる電子機器の操作盤の保護構造の別の実施形態を示した図である。図２と同様に、図３（ａ）は断面図、図３（ｂ）は図３（ａ）のＸ部分を拡大した拡大図である。図３においては、リブ４０の長さが長くなって、制御基板取付部材３２にリブ４０の先端部が接触するように構成されている。これにより、表示器１３への切削液等５０の浸入をより確実に防止することができる。
【００１８】
図４及び図５は、本考案の数値制御装置に用いられる電子機器の操作盤の保護構造のさらに別の実施形態を示した図である。図４は正面図を示しており、図５（ａ）は斜視図を示している。また、図５（ｂ）は図５（ａ）のＸ部分の拡大図であり、図５（ｃ）はＹ部分の拡大図である。本実施形態においては、図４及び図５（ａ）に示されているように、リブ４０の上部中央部分が高く、そこから左右に傾斜した構造となっている。また、図５（ｂ）における手前側が低く、すなわち、フロントカバー２０の前面側から後面側に向けて低くなるように傾斜した構造とされている。これにより、リブ４０上に落下した切削液等５０は、図４に矢印で示した切削液流路７０のように上部中央部から左右に流れ、その後左右で下に落下して、最終的には図５（ｃ）に示されたように下部中央部に集められるような構造とされている。このように切削液等５０が筐体内の１か所に集められていると、保守などのメンテナンスを行う時に、切削液等５０を除去することが容易となる。
【００１９】
なお、本実施形態においては、表示器１３の上部に設けられるリブ４０は、上部中央部分が最も高く、そこから左右に傾斜した構造とされているが、必ずしも中央部分を最も高くする必要はなく、いずれかの部分を最も高い部分として、そこから左右に傾斜した構造とすることもできる。また、本実施形態においては、リブ４０の前後の傾斜を、フロントカバー２０の前面側から後面側に向けて低くなるように傾斜しているが、逆に後面側から前面側に向けて低くなるように傾斜させるようにすることもできる。さらに、図５においては、リブ４０が上部中央部分から左右に傾斜し、かつ、フロントカバー２０の前面側から後面側に向けて低くなるように傾斜するように構成されているが、リブ４０を、上部から左右方向への傾斜のみ、あるいは、前後方向へのねじれ傾斜のみで構成することもできる。
【００２０】
図６は、本考案の数値制御装置に用いられる電子機器の操作盤の保護構造のさらに別の実施形態を示した図である。図４及び図５に示した実施形態においては、リブ４０を表示器１３の全周を覆うように設けられていたが、本実施形態においては、図６に示されているように表示器１３の上側だけを覆うように構成している。このような構成とし、左右に切削液等５０を落下させるようにしても、表示器１３へ切削液等５０が降りかかることを防止することも可能である。
【００２１】
図７は、本考案の数値制御装置に用いられる電子機器の操作盤の保護構造のさらに別の実施形態を示した図である。図２と同様に、図７（ａ）は断面図、図７（ｂ）は図７（ａ）のＸ部分を拡大した拡大図である。図７（ｂ）に示されているように、本実施形態においては、リブ４０に長手方向に伸びる溝形状部８０を設けている。リブ４０上に落下した切削液等５０が溝形状部８０を流れることによって、図４及び図５に示された実施形態と同様に、保守などのメンテナンスの際に、筐体内の１か所に集められた切削液等５０の除去を行うことが容易となる。
【００２２】
また、図８に示されたように、溝形状部８０に代えて突条部８２を設けるようにして、突条部８２に沿って切削液等５０を所定の方向に誘導するように構成することもできる。
【００２３】
図９は、本考案の数値制御装置に用いられる電子機器の操作盤の保護構造を、フロントカバー２０の内部に設けられている操作盤等の電子部品９０を保護するために用いた例である。表示器１３を保護する場合と同様に、フロントカバー２０から一体的に伸びるリブ４０を設けることによって、電子部品９０についても切削液等５０がかかることを防止することができる。
【００２４】
図９においては、リブ４０が後部と接触していない構造となっているが、図３に示された構造と同様に、後部の部材と接触させる構造とすることもできる。
【符号の説明】
【００２５】
１０  操作盤筐体
１２  表示器ユニット
１３  表示器
１４  操作キー
２０  フロントカバー
２５  パッキン
３０  制御回路基板
３２  制御基板取付部材
４０  リブ
５０  切削液等
６０  切削液浸入路
７０  切削液流路
８０  溝形状部
８２  突条部
９０  電子部品
１００  保護フィルム
【図２】
0003185267.tif 000003
【図３】
0003185267.tif 000004
【図４】
0003185267.tif 000005
【図６】
0003185267.tif 000006
【図７】
0003185267.tif 000007
【図８】
0003185267.tif 000008
【図９】
0003185267.tif 000009
【図１０】
0003185267.tif 000010
【図１１】
0003185267.tif 000011
【図１】
0003185267.tif 000012
【図５】
0003185267.tif 000013